(57)【要約】【課題】利用者が広告画像を視認できる場合に、より効率的に広告を配信すること【解決手段】利用者Ｕが設定した印刷データ及び広告主が設定した広告データからなる入力データに基づく画像を記録媒体に形成する画像形成処理部３０７を備える。ＭＦＰ３００の近傍に利用者が存在するか否かを検知する利用者検知部３０８と、入力データのうち、広告データに基づく広告画像を記録媒体に形成する際の印字方式を決定する印字方式決定手段３５１と、を備え、印字方式決定手段３５１は、利用者検知部３０８が検知した利用者の有無に応じて広告画像の印字方式を変更する。【選択図】図５
2014172351.tif 000002
【特許請求の範囲】
【請求項１】
利用者が設定した印刷データ及び広告主が設定した広告データを含む入力データに基づく画像を記録媒体に形成する画像形成処理部を備えた画像形成装置であって、
前記画像形成装置の近傍に前記利用者が存在するか否かを検知する利用者検知手段と、
前記広告データに基づく広告画像を前記記録媒体に形成する際の印字方式を決定する印字方式決定手段と、を備え、
前記印字方式決定手段は、前記利用者検知手段が検知した前記利用者の有無に応じて前記広告画像の印字方式を変更することを特徴とする画像形成装置。
【請求項２】
前記画像形成処理部は、前記印刷データに基づく印刷画像を前記記録媒体の第１面に形成し、前記広告画像を前記記録媒体の第２面に形成することを特徴とする請求項１に記載の画像形成装置。
【請求項３】
複数の前記広告データから、前記記録媒体に形成する前記広告画像の広告データを選択する広告選択手段を備えたことを特徴とする請求項１又は２に記載の画像形成装置。
【請求項４】
前記印字方式決定手段は、前記利用者検知手段が前記利用者を検知し、かつ前記記録媒体の１枚に形成する前記広告画像の文字数が規定値を上回る場合、印刷すべき前記広告画像を複数のページに分割し、各ページには分割された前記広告画像を拡大して形成することを特徴とする請求項１乃至３の何れか一項に記載の画像形成装置。
【請求項５】
前記印字方式決定手段は、前記利用者検知手段が前記利用者を検知した場合、前記広告画像に印刷される文字のレイアウトを変更することを特徴とする請求項１乃至４の何れか一項に記載の画像形成装置。
【請求項６】
前記利用者検知手段が前記利用者を検知した場合、前記広告画像の文字数及び文字サイズに基づいて、前記画像形成装置における前記記録媒体の排出速度を変更する速度変更手段を備えることを特徴とする請求項１乃至５の何れか一項に記載の画像形成装置。
【請求項７】
前記印字方式決定手段は、前記利用者検知手段が前記利用者を検知した場合、
前記広告画像の文字数と文字サイズとに基づいて算出した枚数の前記記録媒体に同一内容の広告を繰り返して形成することを特徴とする請求項１乃至６の何れか一項に記載の画像形成装置。
【請求項８】
前記広告データを格納した広告情報データベースと、
該広告情報データベースから読み出した前記広告データに基づく広告画像を前記記録媒体に形成する請求項１乃至７の何れか一項に記載の画像形成装置と、を備えたことを特徴とする画像形成システム。
【請求項９】
利用者が設定した印刷データ及び広告主が設定した広告データを含む入力データに基づく画像を画像形成装置で記録媒体に形成する画像形成方法であって、
前記画像形成装置の近傍に前記利用者が存在するか否かを検知する利用者検知ステップと、
前記広告データに基づく広告画像を前記記録媒体に形成する際の印字方式を前記利用者検知ステップにより検知した前記利用者の有無に応じて変更する印字方式変更ステップと、を備えることを特徴とする画像形成方法。
【請求項１０】
利用者が設定した印刷データ及び広告主が設定した広告データを含む入力データに基づく画像を画像形成装置で記録媒体に形成する画像形成プログラムであって、
前記画像形成装置の近傍に前記利用者が存在するか否かを検知する利用者検知ステップと、
前記広告データに基づく広告画像を前記記録媒体に形成する際の印字方式を前記利用者検知ステップにより検知した前記利用者の有無に応じて変更する印字方式変更ステップと、をプロセッサに実行させることを特徴とする画像形成プログラム。
【発明の詳細な説明】
【技術分野】
【０００１】
本発明は、印刷、複写サービスにより出力される印刷物に広告画像を形成する画像形成装置、画像形成システム、画像形成方法、及び画像形成プログラムに関する。
【背景技術】
【０００２】
近年、利用者が、店頭の画像形成装置を使用して印刷、複写を行い、印刷物を作成することができるシステムが普及している。このようなシステムにおいて、利用者が印刷、複写を行うに際しては、用紙に利用者が印刷を希望する画像に加えて広告主の広告画像を印刷し、広告料相当分だけ印刷料金を軽減することがある。このようなシステムでは、利用者が印刷を意図した画像の見え方を低減させることなく、かつ利用者に広告をより良く認識されるよう種々の提案がなされている。
特許文献１には、印刷結果内に広告画像を効率よく配信するため、ネットワークを介して広告管理サーバーから広告画像を読み込んで、検出された余白領域に該広告画像を合成出力する画像形成システムが記載されている。この画像形成システムでは、印刷内容の文字情報から検索キーを抽出して、検索キーに基づいて広告を選択する。
【０００３】
また、特許文献２には、複写機の遠隔管理するシステムを利用して、広告主のニーズを満たす広告を迅速かつ効率よく提供する画像形成システムが記載されている。この画像形成システムでは、印刷装置の場所などの情報に基づいて広告画像を用紙のふち部に追加して印刷し、広告料を広告主に課金する。
また、特許文献３には、ネットワークを介して広告管理サーバーから広告画像を読み込んで、検出された余白領域に該広告画像を合成出力する画像形成システムが記載されている。この画像形成システムでは、各種の広告画像と種々の大きさの広告画像を予め保持し、検出された余白領域に適合する広告画像を擬似乱数や過去の印刷回数を使用し均等に選択し、この選択された広告画像を原稿画像に合成して出力する。
【発明の概要】
【発明が解決しようとする課題】
【０００４】
しかし、従来の画像形成システムでは、画像形成動作中においても、利用者が印刷済みの広告画像を視認しうる点については考慮されておらず、画像形成動作中のタイミングを広告配信に効率よく活用できていないという問題がある。
本発明は、上記に鑑みてなされたもので、画像形成動作中に利用者が広告画像を視認し得る場合に、より効率的に広告を配信することを目的とする。
【課題を解決するための手段】
【０００５】
上記課題を解決するための本発明は、利用者が設定した印刷データ及び広告主が設定した広告データを含む入力データに基づく画像を記録媒体に形成する画像形成処理部を備えた画像形成装置であって、前記画像形成装置の近傍に前記利用者が存在するか否かを検知する利用者検知手段と、前記広告データに基づく広告画像を前記記録媒体に形成する際の印字方式を決定する印字方式決定手段と、を備え、前記印字方式決定手段は、前記利用者検知手段が検知した前記利用者の有無に応じて前記広告画像の印字方式を変更することを特徴とする。
【発明の効果】
【０００６】
本発明によれば、画像形成動作中に利用者が広告画像を視認し得る場合には、特定の様式で広告画像を形成できるので、利用者が認識しやすい広告画像を提示でき、広告の配信をより効果的に実施できる。
【図面の簡単な説明】
【０００７】
【図１】本発明の実施形態に係る画像形成システムの概略構成を示すブロック図である。
【図２】同画像形成システムの広告サーバーの構成を示すブロック図である。
【図３】同画像形成システムの広告データベースの構成を示す図である。
【図４】同画像形成システムのＭＦＰの構成を示すブロック図である。
【図５】同ＭＦＰの画像形成部を示す図である。
【図６】同ＭＦＰの動作を示すフローチャートである。
【図７】同ＭＦＰの印字方式決定手段の動作を示すフローチャートである。
【図８】同ＭＦＰが印刷する広告画像の一例を示す模式図である。
【図９】同ＭＦＰが印刷する広告画像の一例を示す模式図である。
【発明を実施するための形態】
【０００８】
本発明の実施形態に係る画像形成装置、画像形成システム、及び画像形成プログラムについて説明する。本発明に係る画像形成システムは、利用者（ユーザー）が設定した印刷データ及び広告主が設定した広告データを含む入力データに基づく画像を記録媒体に形成する画像形成装置を備える。また、広告データは、広告情報データベースに格納されており、画像形成装置と広告データベースはネットワークで接続されている。画像形成装置は、画像形成装置の近傍に利用者が存在するか否かを検知する利用者検知手段と、入力データのうち、広告データに基づく広告画像を前記記録媒体に形成する際の印字方式を決定する印字方式決定手段とを備える。そして、印字方式決定手段は、前記利用者検知手段が検出した利用者の有無に応じて広告画像の印字方式を変更する。これにより、印刷モードや利用者が画像形成装置の近傍にいるか否の情報に応じて、広告の印刷の仕方を適切に変え、広告の配信をより効果的に行う。
【０００９】
以下実施形態に係る画像形成システムについて説明する。まず、画像形成システムの概略構成を説明する。図１は本発明の実施形態に係る画像形成システムの概略構成を示すブロック図である。実施形態に係る画像形成システム１００は、ＬＡＮ(Local Area Network)、公衆回線網等のネットワーク１１０に接続された広告サーバー２００を備える。また、画像形成システム１００は、ネットワーク１１０に接続され利用者が操作可能な多機能周辺装置（ＭＦＰ）３００を備える。
ＭＦＰ３００は、コンビニエンスストア等の店舗に配置されており、複写サービス、印刷サービスに供される。ＭＦＰ３００は、利用者Ｕが操作することにより、複写処理、及び利用者が準備した印刷データに基づく印刷処理を行う。広告サーバー２００には後述する広告データベースを備える。本画像形成システム１００では、ＭＦＰ３００で印刷処理を行うとき、記録媒体に利用者Ｕの印刷データに基づく印刷画像に追加して広告サーバー２００からの広告データに基づいて広告画像を印刷し、印刷物Ｄとして出力する。このときＭＦＰ３００の表示部３０４（図４）に広告の動画や静止画を表示する。これにより、利用者Ｕは印刷サービスの利用料金から広告代金分の割引を受ける。
【００１０】
ネットワーク１１０には、広告登録端末１２０、課金サーバー１３０、認証サーバー１４０が接続されている。広告登録端末１２０は、広告主が広告サーバー２００に広告内容を登録するものである。課金サーバー１３０は、広告印刷による課金の減額情報を格納している。また、認証サーバー１４０は、利用者情報を格納している。利用者情報は、ＭＦＰ３００の利用者Ｕを特定するための情報であり、アカウントとパスワードの組や利用者ＩＤを格納している。認証サーバー１４０は、これらの情報に基づいて利用者個人を認証する
画像形成システム１００では、広告サーバー２００、ＭＦＰ３００、広告登録端末１２０、課金サーバー１３０、認証サーバー１４０において、本発明に係る画像形成プログラムを搭載し実行して画像形成方法を実施し、画像形成システム１００を実現する。
【００１１】
次に広告サーバー２００について説明する。図２は本発明の実施形態に係る画像形成システムの広告サーバーの構成を示すブロック図である。広告サーバー２００は、制御部２０１と、主記憶部２０２と、表示用広告情報データベース２０３と、印刷用広告情報データベース２０４と、通信制御部２０５と、操作部２０６と、表示部２０７とを備える。
制御部２０１は、ＣＰＵ（Central Processing Unit：プロセッサ）を備え、プログラムを実行する。主記憶部２０２は、ＲＯＭ(Read Only Memory)、ＲＡＭ(Random Access Memory)を備え、プログラムを格納する他ワークメモリとして使用される。表示用広告情報データベース２０３はハードディスクドライブ（hard disc Drive）で構成され、ＭＦＰ３００の表示部３０４（図４）に動画あるいは静止画として表示される広告のデータを蓄積して管理している。
【００１２】
また、印刷用広告情報データベース２０４はハードディスクドライブ（hard disc Drive）で構成され、ＭＦＰ３００から出力される印刷物Ｄに印刷される広告画像のデータを蓄積し管理している。表示用広告情報データベース２０３及び印刷用広告情報データベース２０４は、広告データベース２１０を構成する。
通信制御部２０５は、公衆回線網、ＬＡＮ等のネットワーク１１０を介してＭＦＰ３００、広告登録端末１２０、課金サーバー１３０、認証サーバー１４０との通信を制御する。操作部２０６は、キーボード、タッチパネル、マウス等から構成される。表示部２０７は、液晶モニター等で構成される。
【００１３】
次に広告データベース２１０が蓄積する広告データについて説明する。図３は同画像形成システムの広告データベースの構成を示す図である。広告データベース２１０には、広告登録端末１２０を通じて予め広告情報２２０、２３０、表示用広告データ２２１、２３１、印刷用広告画像データ２２２、２３２がそれぞれ関連付けされて登録されている。広告情報２２０、２３０には、その広告を示す識別子(ＩＤ)、広告主名、最終掲載日時、掲載回数、掲載優先度、割引額、掲載地域などの情報が登録される。
ここで、表示用広告データ２２１、２３１は、ＭＦＰ３００の表示部３０４（図４参照）に表示されるものであり動画か静止画かは問わない。また、印刷用広告画像データ２２２はＭＦＰ３００で記録媒体に印刷される静止画であり、表示用広告データと同様の内容の場合もあれば、違う内容であってもよい。例えば、クーポンや地図などでもよい。
【００１４】
次にＭＦＰ３００について説明する。図４は同画像形成システムの多機能周辺装置の構成を示すブロック図である。ＭＦＰ３００は、制御部３０１と、主記憶部３０２と、画像処理部３０３と、表示部３０４と、通信制御部３０５と、読取部３０６と、印字方式決定手段を備えた画像形成処理部３０７と、利用者検知手段である利用者検知部３０８と、入力部３０９とを備える。
制御部３０１は、ＣＰＵ（Central Processing Unit：プロセッサ）を備えて構成されプログラムを実行する。主記憶部３０２は、ＲＯＭ(Read Only Memory)、ＲＡＭ（Random Access Memory）を備え、プログラムを格納する他ワークメモリとして使用される。
画像処理部３０３は、印刷データ及び広告データに基づいて、記録媒体に印刷するための印刷データを作成する。表示部３０４は、液晶モニターを備え、印刷情報や表示用広告情報データベース２０３からの動画や静止画で構成される広告画像を表示する。通信制御部３０５は、公衆回線網、ＬＡＮ等のネットワーク１１０を介して接続された広告サーバー２００との通信を制御する。読取部３０６は、ＭＦＰ３００で原稿画像を読み取るものであり、ＣＣＤ（charge-coupled device）や、ＣＩＳ（Contact Image Sensor）等を備え、原稿の画像を電気信号に変換する。
【００１５】
画像形成処理部３０７は、記録媒体に印刷画像と広告画像を形成するに際して、広告画像をどのような形式で印刷するかを決定、印刷を実行する。利用者検知部３０８は、利用者ＵがＭＦＰ３００の近傍にいるかどうかを検出する。ここでＭＦＰ３００の近傍とは、利用者がＭＦＰ３００から排紙トレイに排出される記録媒体を視認可能な範囲である。利用者検知部３０８は、近接センサー、赤外線センサー等を備える。なお、ＭＦＰ３００には、課金装置を備えることができる。課金装置で利用者Ｕから料金を受け取る。料金は現金、プリペイドカード、キーカウンター、クレジットカード等を用いて支払われる。
入力部３０９は、ＭＦＰ３００に印刷指示や印刷データを入力するために使用される。入力部３０９は、入力用のテンキーやタッチパネルを備える。また入力部３０９は、印刷データを格納したメモリカードからのデータを入力するメモリーカードスロット３０９ａ、携帯電話、タブレット端末、コンピュータ等の携帯端末からの印刷指示や印刷データを受ける携帯端末接続手段３０９ｂ等が接続されている。携帯端末接続手段３０９ｂは赤外線や電波を介して携帯端末と接続される。なお、携帯端末には、指令や印刷データ送受信用のアプリケーションを導入しておく。
【００１６】
次に記録媒体への印刷形式を設定するＭＦＰ３００の画像形成処理部３０７について説明する。図５は実施形態に係る画像形成システムで使用する多機能周辺装置の画像形成処理部を示す図である。画像形成処理部３０７は、印刷命令処理手段３１０と、印刷データ取得手段３２０と、印刷データ分析手段３３０と、広告決定手段３４０と、画像形成手段３５０と、印刷結果判定手段３６０と、広告カウント手段３７０とを備える。
印刷命令処理手段３１０は、利用者Ｕからの印刷指令及び印刷データを受け付ける。印刷データ取得手段３２０は、画像形成処理部３０７内の印刷命令処理手段３１０で印刷命令を受ける。ここで印刷命令と、印刷データとは、以下の２通りの方法で印刷命令処理手段３１０に入力される。まず、ＭＦＰ３００を直接操作するときには、入力部３０９の入力キーから印刷命令を入力する。そして、メモリーカードスロット３０９ａにデータカードを接続し、印刷データを入力する。一方、ＭＦＰ３００と携帯端末とを、携帯端末接続手段３０９ｂを介して接続したときには、携帯端末から印刷データを転送するとともに、携帯端末のアプリケーションを使用して印刷命令を出す。また、この印刷指令と共に、利用者は広告画像を印刷する否かを選択する。
印刷命令処理手段３１０は、印刷内容の他に、印刷ファイルの情報、命令手段の情報、印刷命令を行ったユーザー情報のいずれかの情報を印刷データ取得手段３２０に受け渡す。印刷ファイルの情報は、例えばファイルの種類やメタ情報等である。また、命令手段の情報は、例えば、コピーの場合はコピー機のＩＤ情報や、濃度やカラーや集約などの情報である。更に、印刷命令を行ったユーザー情報は、例えばＩＤ情報やユーザーの広告の希望分野等である。
【００１７】
印刷データ取得手段３２０は、印刷命令処理手段３１０から受け取った情報を印刷データ分析手段３３０に出力する。印刷データ分析手段３３０は、受け取った情報から用紙の第２面に広告を印刷するための分析を行う。
印刷データ分析手段３３０は、キーワード／画像解析部３３１と、ファイル情報抽出部３３２と、命令機器情報抽出部３３３と、ユーザー情報抽出部３３４とを備える。キーワード／画像解析部３３１は受け取った印刷データに含まれる文字列の中からキーワード郡を抽出する。ファイル情報抽出部３３２は、ファイル情報を抽出する。命令機器情報抽出部３３３は、印刷命令を発した機器の情報を抽出する。例えば携帯端末の種類、キャリアなどを抽出する。更にユーザー情報抽出部３３４は、利用者についての情報を抽出する。例えば利用者ＩＤ情報から性別や利用者自身が選択した広告を希望する分野や希望しない分野などの情報を抽出する。
【００１８】
広告決定手段３４０は、広告選択手段３４１と、広告情報保存手段３４２と、広告情報更新手段３４３とを備える。なお、これらはＭＦＰ３００内に配置しても、ネットワークに接続された各機器に分散されて配置してもよい。更に、ＭＦＰ３００を単独で運用して画像形成システムを構成する場合は、ネットワーク上につなげない状態で広告のメモリ機器などを介してユーザー自身又はサービスマンなど手動で更新することができる。
広告決定手段３４０において、広告選択手段３４１は、印刷データ分析手段３３０によって抽出された、キーワードや分野、ユーザー情報、機器の設置場所など複数の情報から記録媒体に形成するに最適な広告を選択する。即ち、広告選択手段３４１は、印刷用広告情報データベース２０４から、記録媒体に形成するに最適な印刷用広告画像データを読み出す。このとき選択される広告は複数であってもよい。またユーザーが集約印刷などを選択しているときは、広告印刷も集約するなどの選択もできる。この選択された広告は広告情報保存手段３４２に保存される。
【００１９】
画像形成手段３５０は、記録媒体の両面に印刷を行うことができる電子写真色画像形成手段を備える。また、画像形成手段３５０は、印字方式決定手段３５１を備える。画像形成手段３５０では、印字方式決定手段３５１が広告決定手段３４０からの広告データと、利用者が設定した印刷データを別面に印刷するように印字方式を決定する。すなわち、印刷データに基づく１枚の記録媒体、第１面に印刷データに基づく印刷画像を、第２面に広告データに基づく広告画像を印刷する。このため、第１面の印刷画像のレイアウトを崩すことなく広告画像を印刷できる。
このため、利用者は広告画像に煩わされることなく目的とする印刷画像が印刷された印刷物を得ることができる。また、意図しない大きさやレイアウトで広告画像が印刷されることがないので、広告主が期待する広告効果を得ることができる。そして、このＭＦＰ３００から排出するとき第２面を上側にして利用者Ｕが広告画像を閲覧できる状態で印刷物を排出する。このため、印字方式決定手段３５１は、ソートモードやノンソートモードなどの印刷形態に応じて適切な広告画像の印字方式を決定する。
【００２０】
次に画像形成システム１００の動作について説明する。図６は実施形態に係る画像形成システムにおける多機能周辺装置の動作を示すフローチャートである。利用者Ｕが印刷命令を発生すると、まず広告印刷の有無を判断する（ステップＳＴ１）。この判定は利用者の指定に基づく。広告印刷の希望がない場合（ステップＳＴ１のＮＯ）は、広告印刷のための処理を行わずに印刷データに基づく印刷を行う（ステップＳＴ９）。すなわち、画像形成手段３５０は、印刷画像だけを第１面に印刷し、広告画像は印刷しない。
広告印刷が選択されている場合（ステップＳＴ１のＹＥＳ）、利用者Ｕからの出力情報を印刷データ取得手段３２０で取得する（ステップＳＴ２）。ここでの出力情報とは、印刷内容の文字データや画像データ、更に印刷を行うファイルの種類やメタ情報や命令手段の機器情報やユーザー情報などの情報のうち、少なくともいずれかを含むデータである。
印刷データ取得手段３２０が取得した情報は、印刷データ分析手段３３０によって分析される（ステップＳＴ３）。印刷データ分析手段３３０は受け取った情報から用紙の第２面に広告を印刷するための分析を行う。分析は、印刷内容にある文字列の中からキーワード郡を抽出し、抽出されたキーワード郡の中から、頻度の高いものを抽出する方法や、抽出されたキーワード郡から関連語を抽出したり、分野を選択したりすることにより行う。また印刷データ分析手段３３０は利用者ＩＤ情報から、利用者の性別や、利用者自身が選択した広告を希望する分野や希望しない分野などの情報を分析する。更に、印刷データ分析手段３３０は機器のＩＤ情報から機器の設置場所や、想定される利用者などの情報を分析する。
【００２１】
次いで、印刷データ分析手段３３０によって分析された複数のデータを元に広告情報の取得が行われる（ステップＳＴ４）。更に、印字方式決定手段３５１で印字方式を決定し（ＳＴ５）、決定された印字方式を元に画像形成手段３５０により記録媒体の第２面に広告が印刷され出力される（ステップＳＴ６）。
印刷後に印刷の判定が行われ（ステップＳＴ７）、印刷動作が正常に行われたと判断された場合（ステップＳＴ７のＹＥＳ）は、印刷した広告のカウントがなされる（ステップＳＴ８）。印刷動作が正常に行われなかったと判断された場合（ステップＳＴ８のＮＯ）は、広告のカウントは行わない。
【００２２】
次に印字方式決定手段３５１の動作について説明する。図７は多機能周辺装置の印字方式決定手段の動作を示すフローチャートである。印字方式決定手段３５１は、印刷形態の分析を行い（ステップＳＴ１１）、この分析に基づいて印刷する広告を決定する（ステップＳＴ１２）。そして、印刷先のページを決定して（ステップＳＴ１３）、広告の印刷レイアウトを決定する（ステップＳＴ１４）。この処理によって決定された内容の広告が指定されたページに指定されたレイアウトで印刷される。
【００２３】
以下に具体的な広告画像の印字方式例について説明する。図８は同多機能周辺装置が印刷する広告画像を示す模式図、図９は同多機能周辺装置が印刷する広告画像を示す模式図である。利用者検知部３０８により、利用者がＭＦＰ３００の近傍に存在することを検知している場合、印字方式決定手段３５１は1ページに収まる広告の文字数が規定値を上回る場合は当該広告の文字数を制限する。また、1ページに収まる広告であっても複数ページに分割して印刷する。
例えば、図８に示すように、１枚の記録媒体４００に４種類の広告４１０、４２０、４３０、４４０が印刷できる場合であっても、利用者検知部３０８がＭＦＰ３００の近傍にいることを検知している場合は各ページに１種類の広告を印刷する。このとき、個々の広告を別々のページに印刷するように分割し、広告画像を拡大(編集)する。すなわち、図９に示すように1枚の記録媒体５００に一つの広告５１０を拡大してレイアウトする。利用者ＵがＭＦＰ３００の近傍にいるのは、印刷が終了するのを待っていることが想定され、印刷の終了を待っている利用者Ｕが一目見て広告画像の内容を理解できるようにするためである。
【００２４】
また、広告決定手段によって選択された広告を印刷する場合、広告画像が利用者Ｕから見て読み取れる方向に印刷物Ｄが出力されることが望ましい。このため、印字方式決定手段３５１は、広告画像を所定の方向に回転して印刷する。利用者Ｕが印刷を待っている間にも排紙される用紙の広告を読みやすくするためである。
更に、ＭＦＰ３００に速度変更手段を備え、広告画像の文字数及び文字サイズに基づいて、印刷物Ｄの排出速度を変更することができる。排出速度の変更は、排紙される用紙の広告をユーザーが読み取れる速度にするために行われる。
また、印字方式決定手段３５１は、１枚の記録媒体に印刷する広告画像の文字数と、文字サイズと、排出速度とから、その広告を繰り返して印刷する枚数を算出して印刷する。これは、ＭＦＰ３００が文字数の多い広告画像を高速に出力する場合、利用者Ｕが広告を理解する前に次の広告画像が提示されてしまい、広告効果が低減するのを防ぐためである。排出速度が速い場合は、１枚ごとに広告画像を変更するのではなく、同一内容の広告を複数ページに繰り返し連続して印刷することで、利用者Ｕが広告の内容を理解することができ、広告効果を高めることができる。
【符号の説明】
【００２５】
１００…画像形成システム、１１０…ネットワーク、２００…広告サーバー、２１０…広告データベース、２２０、２３０…広告情報、３００…ＭＦＰ、３０７…画像形成処理部、３０８…利用者検知部、３０９…入力部、３１０…印刷命令処理手段、３２０…印刷データ取得手段、３３０…印刷データ分析手段、３４０…広告決定手段、３５０…画像形成手段、３５１…印字方式決定手段
【先行技術文献】
【特許文献】
【００２６】
【特許文献１】特許第４７８３８０２号
【特許文献２】特許第３８５１０７９号
【特許文献３】特許第３４７０４４４号
【特許文献４】特開２００２−１０８５７８公報
【図１】
2014172351.tif 000003
【図２】
2014172351.tif 000004
【図３】
2014172351.tif 000005
【図４】
2014172351.tif 000006
【図５】
2014172351.tif 000007
【図６】
2014172351.tif 000008
【図７】
2014172351.tif 000009
【図８】
2014172351.tif 000010
【図９】
2014172351.tif 000011